(57)【特許請求の範囲】
【請求項１】
１つ以上の導管(２０８、２０８’)と、１つ以上のマニホールド(２０４、２０４')と、１つ以上の導管(２０８、２０８’)に取り付けられた少なくとも１つのドライバマグネット(２１８、２１８’)とを含む濡れアセンブリ(２００)と、
ドライバコイル(２２４)を収容する乾きアセンブリ(２０２)と、
ドライバコイル(２２４)と電気的に通信するメータ電子機器(２０)と、
濡れアセンブリ(２００)と乾きアセンブリ(２０２)を少なくとも部分的に覆うケース(２３６)とを備え、
乾きアセンブリ(２０２)は、濡れアセンブリ(２００)に取外し可能に取り付け可能であり、
乾きアセンブリ(２０２)が濡れアセンブリ(２００)に取り付けられている場合、ドライバコイル(２２４)は少なくとも１つのドライバマグネット(２１８、２１８’)と磁気的に通信し、
ドライバコイルは、乾きアセンブリ(２０２)が濡れアセンブリ(２００)に取り付けられたときに、少なくとも１つのドライバマグネットに振動信号を提供するように構成されている、流量計(５)。
【請求項２】
濡れアセンブリ(２００)は更に、１以上の導管(２０８、２０８’)の１つに連結された少なくとも１つのピックオフマグネット(２２０、２２０’)を備える、請求項１に記載の流量計(５)。
【請求項３】
乾きアセンブリ(２０２)は、乾きアセンブリ(２０２)が濡れアセンブリ(２００)に取り付けられたときに、少なくとも１つのピックオフマグネット(２２０、２２０’)から振動信号を受信するように構成されたピックオフコイル(２２２)を収容する、請求項２に記載の流量計(５)。
【請求項４】
乾きアセンブリ(２０２)は、温度センサ(２２８)を収容する、請求項２に記載の流量計(５)。
【請求項５】
少なくとも１つのドライバマグネット(２１８、２１８’)は、
１つ以上の導管の第１の導管に結合された第１のドライバマグネット(２１８)と、
１つ以上の導管の第２の導管に結合された第２のドライバマグネット(２１８’)とを含み、
少なくとも１つのピックオフマグネット(２２０、２２０’)は、
１つ以上の導管の第１の導管に結合された第１のピックオフマグネット(２２０)と、
１つ以上の導管の第２の導管に結合された第２のピックオフマグネット(２２０’)と含み、
第１のドライバマグネット(２１８)及び第１のピックオフマグネット(２２０)は、夫々第２のドライバマグネット(２１８’)及び第２のピックオフマグネット(２２０’)に対して磁気的に反対に向けられている、請求項２に記載の流量計(５)。
【請求項６】
濡れアセンブリ(２００)は識別子(２５０)を備え、乾きアセンブリは識別子(２５０)を検出するように構成されたセンサ(２５２)を備える、請求項１に記載の流量計(５)。
【請求項７】
識別子(２５０)は視認性の識別子であり、センサ(２５２)は光学センサである、請求項６に記載の流量計(５)。
【請求項８】
識別子(２５０)はエミッタであり、センサ(２５２)は受信器である、請求項６に記載の流量計(５)。
【請求項９】
識別子(２５０)は、濡れアセンブリ(２００)に関連する識別情報を含む、請求項６に記載の流量計(５)。
【請求項１０】
乾きアセンブリ(２０２)は、ドライバマグネット(２１８、２１８’)及びピックオフマグネット(２２０、２２０’)の少なくとも一方を少なくとも部分的に包むサイズ及び寸法を有する少なくとも１つのレリーフ(２３０)を含む、請求項２に記載の流量計(５)。
【請求項１１】
流量計を構成する方法であって、
ドライバコイルを収容する乾きアセンブリを提供する工程と、
プロセス材料を受け入れるように構成され、１つ以上の導管と１つ以上のマニホールドとを備える濡れアセンブリを提供する工程と、
少なくとも１つのドライバマグネットを１つ以上の導管に取り付ける工程と、
メータ電子機器をドライバコイルに接続する工程と、
ケースで濡れアセンブリと乾きアセンブリを少なくとも部分的に覆う工程と、
濡れアセンブリを、乾きアセンブリに取外し可能に取り付ける工程とを備え、
乾きアセンブリが濡れアセンブリに取り付けられている場合、ドライバコイルは少なくとも１つのドライバマグネットと磁気的に通信し、
ドライバコイルは、乾きアセンブリが濡れアセンブリに取り付けられたときに、少なくとも１つのドライバマグネットに振動信号を提供するように構成されている、方法。
【請求項１２】
少なくとも１つのピックオフマグネットを少なくとも１つの導管の１つに取り付ける工程を含む、請求項１１に記載の方法。
【請求項１３】
乾きアセンブリは、乾きアセンブリが濡れアセンブリに取り付けられたときに、少なくとも１つのピックオフマグネットから振動信号を受信するように構成されたピックオフコイルを収容する、請求項１２に記載の方法。
【請求項１４】
乾きアセンブリは、温度センサを収容する、請求項１１に記載の方法。
【請求項１５】
少なくとも1つのドライバマグネットを１つ以上の導管に取り付ける工程は、
第１のドライバマグネットを１つ以上の導管の第１の導管に取り付ける工程と、
第２のドライバマグネットを１つ以上の導管の第２の導管に取り付ける工程を含み、
少なくとも１つのピックオフマグネットを少なくとも１つの導管の１つに取り付ける工程は、
第１のピックオフマグネットを１つ以上の導管の第１の導管に取り付ける工程と、
第２のピックオフマグネットを１つ以上の導管の第２の導管に取り付ける工程と、
第１のドライバマグネット及び第１のピックオフマグネットを、夫々第２のドライバマグネット及び第２のピックオフマグネットに対して磁気的に反対に向ける工程を含む、請求項１２に記載の方法。
【請求項１６】
識別情報を濡れアセンブリからメータ電子機器に送信する工程を備える、請求項１１に記載の方法。
【発明の詳細な説明】
【技術分野】
【０００１】
以下に記載される実施形態は、流量計に関し、より詳細には、交換可能な濡れ要素グループを有する流量計に関する。
【背景技術】
【０００２】
例えば、振動式デンシトメータやコリオリ式流量計などの振動センサが一般に知られており、またこれらは、流量計の導管を流れる物質に関する質量流量及びその他の情報を測定するために使用されている。例示的なコリオリ式流量計については、米国特許第4109524号明細書、米国特許第4491025号明細書、米国再発行特許第31450号に開示されている。これらの流量計は、直線形状もしくは湾曲形状の１つ以上の導管構成を備える。たとえば、コリオリ式質量流量計の導管構成はそれぞれ、単純な屈曲、ねじり、又は結合タイプであり得る一連の自然振動モードを有する。各導管が好ましいモードで振動するように、これらを駆動することができる。
【０００３】
一部のタイプの質量流量計、特にコリオリ流量計は、密度の直接的な測定を実行して、質量と密度との商によって体積情報を提供する方法で操作され得る。未知の多相流体の密度を測定するためにコリオリ流量計を用いるネットオイルコンピュータについてのRueschへの米国特許4872351号を参照。Buttlerへの米国特許5687100号は、振動管密度計として動作する質量流量計での質量流量効果の密度読み取り値を修正するコリオリ効果密度計を開示する。
【０００４】
流量計の入口側に接続されたパイプラインから流量計内に流れる材料は導管を通って向けられ、流量計の出口側を通って流量計を出る。振動システムの固有振動モードは、導管と導管内を流れる材料の組み合わされた質量によって部分的に規定される。
【０００５】
流量計を通過する流れがないとき、導管に加えられる駆動力により、導管に沿ったすべての点は同じ位相で、又はゼロ流れにおいて測定される時間遅延である小さな「ゼロオフセット」で振動される。物質が導管を流れ始めると、コリオリの力により、導管に沿った各点が異なる位相を有するようになる。たとえば、流量計の入口端部の位相は中央のドライバ位置の位相よりも遅れている一方で、出口の位相は中央のドライバ位置の位相よりも先行する。導管のピックオフが、導管の動きを表す正弦波信号を生成する。ピックオフから出力される信号は、ピックオフ間の時間遅延を判定するために処理される。２つ以上のピックオフ間の時間遅延は、導管を流れる物質の質量流量に比例している。
【０００６】
ドライバに接続されたメータ電子機器が、ドライバを作動させ、かつピックオフより受信する信号からプロセス物質の質量流量及び／又は他の特性をも判定するための駆動信号を生成する。ドライバは多くの周知の構成の１つを備えていてもよいが、しかしながら磁石及び対向する駆動コイルが流量計業界においては大きな成功を収めている。所望の導管振幅及び周波数で導管を振動させるために、交流電流が駆動コイルに通される。このドライバの構成に非常に類似した磁石及びコイルの構成としてピックオフを提供することも、当該技術分野においては知られている。しかし、ドライバが運動を誘発する電流を受け取る一方、ピックオフはドライバが提供する運動を使用して電圧を誘発する。ピックオフによって測定される時間遅延の大きさは非常に小さく、しばしばナノ秒単位で測定される。従って、出力が非常に正確なトランスデューサを有することが必要である。
【０００７】
一般に、流量計は最初に較正されて、ゼロオフセットとともに流量較正係数が生成される。使用中、流量較正係数に、ピックオフで測定された遅延時間からゼロオフセットを引いた値を乗算して、質量流量が生成される。殆どの場合、流量計は通常、製造業者によって最初に較正され、その後の較正を必要とせずに正確な測定値を提供すると想定されている。
【０００８】
コリオリ流量計を含む振動式センサは、導管などの濡れた部品が、有害、毒性、または完全に除去するのが難しい材料を処理する用途でしばしば使用される。これにより、濡れた部品は他の用途で再利用できなくなる。充填又は分配環境など、数日または数週間だけ破壊的なプロセス材料の流量を測定する必要がある場合では、完璧な流量計のコストは高すぎるため、そのような流量計の使用は実用的ではない場合がある。本発明はこれら及び他の問題を克服し、技術の進歩が達成される。
【０００９】
実施形態に従って、２つの別個の主要なアセンブリで構成されるセンサが提供される。濡れアセンブリは流路要素を含み、乾きアセンブリは電子機器と関連する電気的ハードウエアを含む。一旦、濡れアセンブリが破壊的なプロセス材料にさらされると、元の乾きアセンブリを引き続き使用しながら、濡れアセンブリを新しい濡れアセンブリに交換することができる。
【発明の概要】
【００１０】
一実施形態にて、流量計は、１つ以上の導管と、１つ以上の導管に取り付けられた少なくとも１つのドライバマグネットとを含む濡れアセンブリを含む。乾きアセンブリはドライバコイルを収容し、メータ電子機器はドライバコイルと電気的に通信する。ケースは、濡れアセンブリと乾きアセンブリを少なくとも部分的に覆っている。乾きアセンブリは、濡れアセンブリに取外し可能に取り付け可能であり、乾きアセンブリが濡れアセンブリに取り付けられている場合、ドライバコイルは少なくとも1つのドライバマグネットと磁気的に通信する。ドライバコイルは、乾きアセンブリが濡れアセンブリに取り付けられたときに、少なくとも１つのドライバマグネットに振動信号を提供するように構成されている。
【００１１】
一実施形態において、流量計を構成する方法が提供される。方法はドライバコイルを収容する乾きアセンブリを提供する工程と、プロセス材料を受け入れるように構成された濡れアセンブリを提供する工程を備え、濡れアセンブリは１つ以上の導管を備える。少なくとも１つのドライバマグネットが１つ以上の導管に取り付けられている。メータ電子機器はドライバコイルに接続される。ケースは、濡れアセンブリと乾きアセンブリを少なくとも部分的に覆っている。濡れアセンブリは、乾きアセンブリに取外し可能に取り付けられ、乾きアセンブリが濡れアセンブリに取り付けられている場合、ドライバコイルは少なくとも１つのドライバマグネットと磁気的に通信し、ドライバコイルは、乾きアセンブリが濡れアセンブリに取り付けられたときに、少なくとも１つのドライバマグネットに振動信号を提供するように構成されている。
【００１２】
態様
一態様に従って、流量計は、１つ以上の導管と、１つ以上の導管に取り付けられた少なくとも１つのドライバマグネットとを含む濡れアセンブリを含む。乾きアセンブリはドライバコイルを収容する。メータ電子機器はドライバコイルと電気的に通信する。ケースは、濡れアセンブリと乾きアセンブリを少なくとも部分的に覆っている。乾きアセンブリは、濡れアセンブリに取外し可能に取り付け可能であり、乾きアセンブリが濡れアセンブリに取り付けられている場合、ドライバコイルは少なくとも１つのドライバマグネットと磁気的に通信し、ドライバコイルは、乾きアセンブリが濡れアセンブリに取り付けられたときに、少なくとも１つのドライバマグネットに振動信号を提供するように構成されている。
【００１３】
好ましくは、濡れアセンブリは更に１以上の導管の１つに連結された少なくとも１つのピックオフマグネットを備える。
好ましくは、乾きアセンブリは、乾きアセンブリが濡れアセンブリに取り付けられたときに、少なくとも１つのピックオフマグネットから振動信号を受信するように構成されたピックオフコイルを収容する。
好ましくは、乾きアセンブリは、温度センサを収容する。
【００１４】
好ましくは、少なくとも１つのドライバマグネットは、１つ以上の導管の第１の導管に結合された第１のドライバマグネットと、１つ以上の導管の第２の導管に結合された第２のドライバマグネットとを含む。少なくとも１つのピックオフマグネットは、１つ以上の導管の第１の導管に結合された第１のピックオフマグネットと、１つ以上の導管の第２の導管に結合された第２のピックオフマグネットと含み、第１のドライバマグネット及び第１のピックオフマグネットは、夫々第２のドライバマグネット及び第２のピックオフマグネットに対して磁気的に反対に向けられている。
【００１５】
好ましくは、濡れアセンブリは識別子を備え、乾きアセンブリは識別子を検出するように構成されたセンサを備える。
好ましくは、識別子は視認性の識別子であり、センサは光学センサである。
好ましくは、識別子はエミッタであり、センサは受信器である。
好ましくは、識別子は、濡れアセンブリに関連する識別情報を含む。
好ましくは、乾きアセンブリは、ドライバマグネット及びピックオフマグネットの少なくとも一方を少なくとも部分的に包むサイズ及び寸法を有する少なくとも１つのレリーフを含む。
【００１６】
一態様に従って、流量計を構成する方法は、ドライバコイルを収容する乾きアセンブリを提供する工程と、プロセス材料を受け入れるように構成された濡れアセンブリを提供する工程を備え、濡れアセンブリは１つ以上の導管を備える。少なくとも１つのドライバマグネットが１つ以上の導管に取り付けられている。メータ電子機器はドライバコイルに接続される。濡れアセンブリと乾きアセンブリは、ケースで少なくとも部分的に覆われる。濡れアセンブリは、乾きアセンブリに取外し可能に取り付けられ、乾きアセンブリが濡れアセンブリに取り付けられている場合、ドライバコイルは少なくとも１つのドライバマグネットと磁気的に通信し、ドライバコイルは、乾きアセンブリが濡れアセンブリに取り付けられたときに、少なくとも１つのドライバマグネットに振動信号を提供するように構成されている。
【００１７】
好ましくは、方法は少なくとも１つのピックオフマグネットを少なくとも１つの導管の１つに取り付ける工程を含む。
好ましくは、乾きアセンブリは、乾きアセンブリが濡れアセンブリに取り付けられたときに、少なくとも１つのピックオフマグネットから振動信号を受信するように構成されたピックオフコイルを収容する。
好ましくは、乾きアセンブリは、温度センサを収容する。
【００１８】
好ましくは、少なくとも1つのドライバマグネットを１つ以上の導管に取り付ける工程は、第１のドライバマグネットを１つ以上の導管の第１の導管に取り付け、第２のドライバマグネットを１つ以上の導管の第２の導管に取り付ける工程を含む。
少なくとも１つのピックオフマグネットを少なくとも１つの導管の１つに取り付ける工程は、第１のピックオフマグネットを１つ以上の導管の第１の導管に取り付け、第２のピックオフマグネットを１つ以上の導管の第２の導管に取り付ける工程を含む。第１のドライバマグネット及び第１のピックオフマグネットは、夫々第２のドライバマグネット及び第２のピックオフマグネットに対して磁気的に反対に向けられている。
好ましくは、方法は識別情報を濡れアセンブリからメータ電子機器に送信する工程を備える。
【図面の簡単な説明】
【００１９】
【図１】従来技術のセンサアセンブリを示す。
【図２】ケースを有する従来技術のセンサアセンブリを示す。
【図３】実施形態に従った取付け部上のセンサアセンブリを示す。
【図４】実施形態に従ったセンサアセンブリを示す。
【図５】実施形態に従ったセンサアセンブリの断面図を示す。
【図６】実施形態に従ったセンサアセンブリとケースを示す。
【発明を実施するための形態】
【００２０】
図１乃至図６及び以下の説明は特定の実施例を記載して、本発明の最良モードを如何にして作り使用するかを当業者に教示する。本発明の原理を教示することを目的として、いくつかの従来の態様を簡略化又は省略している。当業者は、これらの実施例の変形例が本明細書の範囲内にあることを理解する。当業者であれば、以下に説明する特徴を様々な方法で組み合わせて、本発明の変形例を形成できることを理解する。結果として、本発明は後述する特定の実施例に限定されるものではなく、特許請求の範囲及びその均等物によってのみ限定される。
【００２１】
図１は、例えばコリオリ流量計又は密度計であるが、これらに限定されない任意の振動計である従来技術の流量計５を示す。流量計５はセンサアセンブリ１０とメータ電子機器２０を備える。センサアセンブリ１０はプロセス材料の質量流量及び密度に応答する。メータ電子機器２０は、リード１００を介してセンサアセンブリ１０に接続されて、他の情報と同様に経路２６上の密度、質量流量及び温度情報を提供する。
センサアセンブリ１０はフランジ１０１及び１０１’、一対のマニホールド１０２及び１０２’、一対の平行な導管(第１の導管)１０３、(第２の導管)１０３’、ドライバ１０４、抵抗性の温度検知器(ＲＴＤ)のような温度センサ１０６、マグネット/コイルピックオフ、歪みゲージ、光学センサ又は当該技術分野で公知の他のピックオフのような一対のピックオフ１０５、１０５’、を含む。導管１０３及び１０３’は入口脚部１０７及び１０７’、出口脚部１０８及び１０８’を夫々有する。導管１０３及び１０３’は、長さに沿った少なくとも１つの箇所で曲げられ、長さ方向に沿って大凡平行である。各導管'１０３及び１０３は夫々、軸Ｗ及びＷ’の周りを振動する。
【００２２】
導管１０３及び１０３’の脚部１０７、１０７’、１０８、１０８’は、導管取付けブロック１０９、１０９’に固定されるように取り付けられ、同様にこれらのブロックはマニホールド１０２、１０２’に固定されるように取り付けられている。これにより、センサアセンブリ１０を通る連続して閉塞した材料経路が付与される。
【００２３】
フランジ１０１及び１０１’が、測定されるべきプロセス材料を搬送するプロセスライン(図示せず)に接続されると、材料はフランジ１０１内の第１のオリフィス(図１においては見えない)を通って流量計５の第１端部１１０に入り、マニホールド１０２を通って導管取付けブロック１０９に案内される。マニホールド１０２内では、材料は分割され、導管１０３及び１０３’を通って送られる。導管１０３及び１０３’を出る際、プロセス材料はマニホールド１０２内にて１つの流れに再結合され、その後、フランジ１０１’によってプロセスライン(図示せず)に接続された第２端部１１２を出るように送られる。
【００２４】
導管１０３及び１０３’は、夫々曲げ軸Ｗ−Ｗ、Ｗ’−Ｗ’の周りに、大凡同じ質量分布を有し、慣性モーメントを有し、ヤング率を有するように選択されて、導管取付けブロック１０９、１０９’に適切に取り付けられる。導管１０３及び１０３’のヤング率が温度と共に変化し、この変化は流れの計算及び密度に影響するから、温度センサ１０６が導管１０３及び１０３’に取り付けられて、導管の温度を連続的に測定する。導管の温度、及び故に通過する所定の電流に対して温度センサ１０６に亘って現れる電圧は、導管を通る材料の温度によって主に左右される(governed)。温度センサ１０６に亘って現れる温度に依存する電圧は、メータ電子機器２０によって周知の方法で用いられて、導管温度の変化による導管１０３及び１０３’の弾性率の変化を補償する。温度センサはメータ電子機器２０に接続される。
【００２５】
両導管１０３及び１０３’は、夫々の曲げ軸Ｗ及びＷ’の周りに両方向にドライバ１０４によって駆動され、これは流量計の第１の位相不一致曲げモードと呼ぶ。このドライバ１０４は、導管１０３’に取り付けられるマグネット及び導管１０３に取り付けられる対向するコイルのような周知の構成要素の１つを構成し、交流がこれらを通って通過し、両導管を振動させる。適切な駆動信号がメータ電子機器２０によってリード１１３を介してドライバ１０４に付与される。説明は２つの導管１０３、１０３’を指向しているが、他の実施形態においては１つだけの導管が提供され、又は２つより多い導管が提供される。多数のドライバ用に多数の駆動信号を生成することも、本発明の範囲内である。
【００２６】
メータ電子機器２０は、リード１１４上の温度信号を受信し、左右の速度信号がリード１１５及び１１５’上に夫々現れる。メータ電子機器２０はリード１１３上に現れる駆動信号をドライバ１０４に生成し、導管１０３及び１０３’を振動させる。メータ電子機器２０は左右の速度信号を処理して、センサアセンブリ１０を通過する材料の質量流量及び密度を演算する。この情報は他の情報と共に、メータ電子機器２０によって経路２６を越えて利用手段に付与される。メータ電子機器２０の回路の説明は、本発明を理解するのに必要ではなく、この説明を簡潔にするために省略されている。図１の記載は１つの可能性がある振動計の動作の例として単に提供され、本発明の開示を限定することを意図していないことは理解されるべきである。
【００２７】
コリオリ流量計が記載されるが、当該技術分野の専門家にはコリオリ質量流量計によって付与される更なる測定容量無しで振動形チューブデンシトメータが実施されることは明白であろう。
【００２８】
図２は、ケース１２０によって囲まれる従来技術のセンサアセンブリ１０の他の実施形態を示す。センサアセンブリ１０の大部分はケース１２０によって視野から隠されるが、マニホールド１０２、１０２’、及びフランジ１０１、１０１’は見ることが出来る。この実施形態では、アダプタ２０３、２０３’は、フランジ１０１、１０１’を接続するために、夫々のマニホールド１０２、１０２’に溶接される。一般的な使用に対して、プロセスライン(図示せず)がフランジ１０１、１０１’に接続される。
【００２９】
図３は、実施形態に従ったセンサアセンブリ１０を示す。センサアセンブリ１０の要素は簡略化のために図示されない。簡略化のために、追加のカバー又はケースは無い。センサアセンブリ１０は、濡れアセンブリ２００(図４をも参照)と乾きアセンブリ２０２を備える。濡れアセンブリ２００は、流路と、例えば、マニホールド２０４、２０４'、フランジ２０６、２０６'または他のプロセス接続具、及び導管２０８、２０８'を含む。濡れアセンブリ２００は、例えば、マニホールド２０４、２０４'、フランジ２０６、２０６'、及び導管２０８、２０８'などのプロセス材料に直接さらされるセンサアセンブリ１０の部分である。濡れアセンブリ２００の他の部分は、ブレースバー２１０、２１０'、及びプロセス材料への直接的な露出を有していても有していなくてもよいベースプレート２１２を含む。記載と図面は二重の導管システムを示すが、１つの導管を備えた流量計又は２つを超える数の導管を備えた流量計が考えられるように、記載と図面に限定されないことに留意されたい。
【００３０】
ドライバマグネット２１８、２１８'及びピックオフマグネット２２０、２２０'は、導管２０８、２０８'に結合されている。第１のドライバマグネット２１８及び第１のピックオフマグネット２２０は、第２のドライバマグネット２１８'及び第２のピックオフマグネット２２０'に対して磁気的に反対に向けられていることに留意されたい。全てのマグネットは図３では見えない。
乾きアセンブリ２０２が濡れアセンブリ２００に取外し可能に取り付け可能である。動作にて、プロセス材料は、フランジ２０６の入口２１４から濡れアセンブリ２００に入り、マニホールド２０４を通過して導管２０８、２０８'に入り、別のマニホールド２０４'を介してフランジ２０６'の出口２１６から出る。乾きアセンブリ２０２は、その名前が示すように、プロセス材料と決して接触しない。
【００３１】
乾きアセンブリ２０２は、センサアセンブリ１０の電気的要素を備える。これらの構成要素は、プロセス材料の水分又は他の苛性特性に敏感である可能性があるため、乾きアセンブリ２０２がプロセス材料との接触を受けないことが有利である。実施形態にて、フィードスルーにより、リード１００は、メータ電子機器２０と、コイル２２２、２２４及び温度センサ２２８などの乾きアセンブリに収容された電子要素との間の通信を確立することができる。他の実施形態にて、メータ電子機器２０は、乾きアセンブリ２０２内に収容され、図３に示されるリード１００は代わりに通信経路２６となる。引き続いて、図５に加えて図３及び図４を参照して、ピックオフコイル２２２は、濡れアセンブリ２００から仕切られた乾きアセンブリ２０２内にあることが分かる。乾きアセンブリ２０２はまた、ドライバコイル２２４、温度センサ２２８、及び他の任意のワイヤ及び関連する電子部品を収容してもよい。マグネット２１８、２１８’、２２０、２２０’がその中に突出することを可能にする仕切りによってレリーフ２３０が画定される。これにより、マグネット２１８、２１８'、２２０、２２０'を夫々のコイル２２２、２２４に近接させて、各マグネット/コイルセット間の磁気的係合を最大にすることができる。
【００３２】
交流電流がドライバコイル２２４を通過し、これがドライバマグネット２１８、２１８'と相互作用する磁場を生成し、次に両方の導管２０８、２０８'を振動させる。上記の如く、適切な駆動信号がメータ電子機器２０によって印加される。同様に、ピックオフマグネット２２０、２２０'の振動運動は、各ピックオフコイル２２２に電流を誘導する。磁極は、ドライバコイル２２４によって引き起こされる力が導管２０８、２０８'に対向するように向けられている。具体的には、一方の導管２０８は、全ての磁気Ｓ極がコイルに向けられており、他方の導管２０８'は、全てのＮ極がコイルに向けられている。従って、交流電流がドライバコイル２２４に流れると、第１の導管２０８は乾きアセンブリ２０２に向かって撓み、第２の導管２０８'は乾きアセンブリ２０２から離れるように撓み、又は導管の撓みの向きが逆も可能である。
【００３３】
代替の実施形態において、コイル２２２、２２４はマグネットの外側に向けられる。これは、本明細書に示されているものと同様の方法で実施されるが、導管に隙間を提供する乾きアセンブリ２０２から生じる突起を備えている。他の実施形態において、ドライバとピックオフの両方に二重コイルが設けられ、各位置で二重コイルのためのクリアランスを提供するためにより大きな乾きアセンブリ２０２が必要となる。更に、ドライバでの一重コイルとピックオフでの二重コイルの組み合わせもまた考えられる。
【００３４】
乾きアセンブリ２０２は取付け部２３２を備える。取付け部２３２は、フランジ２０６、２０６'、マニホールド２０４、２０４'、導管２０８、２０８'、ブレースバー２１０、２１０'、及びベースプレート２１２のうちの少なくとも１つを支持する。取付け部２３２のサイズ及び寸法は、流量計のサイズ、導管の向き、および一般的な流量計の仕様に基づいて、流量計の実施形態ごとに異なる。示された実施形態において、ベースプレートは取付け部２３２上にある。濡れアセンブリ２００は、乾きアセンブリ２０２に容易に追加または除去されることが明らかであろう。従って、濡れアセンブリ２００が損傷したり、特定の用途に使用できなくなったりした場合、乾きアセンブリ２０２から取り外して、別の濡れアセンブリ２００と交換することができる。従来技術の流量計において、導管が損傷したときは全ての流量計の交換が必要であり、本実施形態は高価な電子部品を交換する必要なく、導管を交換するためのはるかに安価な解決策を提供する。
【００３５】
１セットの導管２０８、２０８’の装填を支援するために、磁石をわずかに外側に変位させる偏向ランプ２３４を設け、導管の設置を容易にし、導管２０８、２０８’が所定の公差範囲内で変形することを保証する。また、１セットの導管２０８、２０８'の取外しを可能にするためにチューブをわずかに変位させる取出し機構を設けてもよい。
【００３６】
図６は、濡れアセンブリ２００及び乾きアセンブリ２０２の一部を保護すべく設けられたケース２３６を示す。実施形態にて、取付けレール２３８がケース２３６上の保持部材２４２と係合する。保持部材２４２は、クリップ、戻り止め、ピン、ばね、タブ、ねじ山付きハードウェア、非ねじ山付きハードウェア、それらの組み合わせ、及び/又は当該技術分野で知られている他の機械的締結手段を含み得る。幾つかの実施形態にて、ばね部材（図示せず）はまた、ケース２３６に予め荷重をかけて望ましくない振動を防ぐことができる。幾つかの実施形態にて、締結部材はまた、望ましくない振動を防止するために、ケース２３６をセンサアセンブリ及び/又は取付け部２３２上の複数の点に取り付けることができる。
【００３７】
濡れアセンブリ２００及び乾きアセンブリ２０２用の材料は、金属、プラスチック、印刷された材料、合成物、セラミックス及びそれらの組み合わせを備える。クリップ、戻り止め、ピン、ばね、タブ２４４(示される)、ねじ山付きハードウェア、非ねじ山付きハードウェア、それらの組み合わせ、及び/又は当該技術分野で知られている他の機械的締結手段が、取付け部２３２を含む乾きアセンブリ２０２を、ケース２３６及び/又はベースプレート２１２を含む濡れアセンブリ２００に取り付けるのに用いられる。接着剤、粘着剤、溶接、及び/又はろう付けが構築に使用されてもよい。
【００３８】
幾つかの実施形態において、濡れアセンブリ２００は識別子を備える。識別子２５０は、モデル番号、他の識別情報、仕様、及び/又は較正情報のうちの少なくとも１つを識別する視覚的インジケータであり得る。実施形態において、乾きアセンブリ２０２は、識別子２５０から情報を受信するように構成されたセンサ２５２を含む。例えば、識別子２５０は、電子識別子、能動的エミッタ、受動的エミッタであり、センサ２５２は信号を受信するか、さもなければ識別子２５０を読み取り、モデル番号、他の識別情報、仕様、及び/又は較正情報の少なくとも１つなどの識別情報がセンサ２５２によって受信される。この情報は、メータ電子機器２０に通信される。メータ電子機器はこの情報を格納する。メータ電子機器は、較正情報を利用して、流量計に関連する値をより正確に計算する。濡れアセンブリ２００が乾きアセンブリ２０２と適合しない場合、メータ電子機器は警告を提供する。
【００３９】
上記の実施形態の詳細な説明は、本出願の範囲内にあるべき、本発明者らによって企図されているすべての実施形態の包括的な説明ではない。事実、当業者であれば、上述した実施形態の特定の要素は、さらなる実施形態を作成するために様々に組み合わせ、又は、なくすことができ、そのようなさらなる実施形態が本出願の範囲及び教示の中に入ることは認識されよう。上述した実施形態は、本発明の範囲及び教示内の追加の実施形態を作成するために全体的に又は部分的に組み合わせることができることも、当業者には明らかであろう。
【００４０】
このように、特定の実施形態が説明の目的で記載されているが、関連技術の熟練者が認識するように、種々の均等な修正が本記載の範囲内で可能である。ここに付与された開示は他の振動システムに適用され得て、上記の記載及び添付の図面に示す実施形態に適用されるのではない。従って、本発明の範囲は、添付の特許請求の範囲から決定されるべきである。
【図１】
0006844063.tif 000002
【図２】
0006844063.tif 000003
【図３】
0006844063.tif 000004
【図４】
0006844063.tif 000005
【図５】
0006844063.tif 000006
【図６】
0006844063.tif 000007